(57)【要約】【課題】  キャップ本体周壁後部に形成された弾性押圧板の前方押込みで、水平ヒンジと薄肉板状ヒンジとで、後部を連結されてキャップ本体上面を閉塞する蓋体が開蓋可能としたワンタッチキャップにおいて、蓋板開蓋操作が容易とした。【解決手段】  蓋体29後端部から垂設した取付け板部27をキャップ周壁後部の切欠き17内へ嵌合させ、該取付け板部の左右両側部を前外方へ拡開する側板28としてその上部と蓋体29との連結部に薄肉板状ヒンジ40を、これ等両側板間の垂直平板34上部の左右両側に設けた肩部35と蓋板との連結部に水平ヒンジ39を、それぞれ設け、下端部を除く両側板28と垂直平板との間に、切離し線43を穿設して、垂直平板上部を弾性押圧板44とした。【選択図】  図５
2006335406.tif 000002
【特許請求の範囲】
【請求項１】
キャップ周壁後部で形成した上縁自由端の弾性押圧板の前方押込みで、キャップ上面を閉塞する蓋体が、該蓋体後部を連結する水平ヒンジと薄肉板状ヒンジとを中心に回動することで開蓋するワンタッチキャップににおいて、
上記蓋体29後端部からキャップ周壁の後部に穿設した切欠き17内へ嵌合させる取付け板部27を垂設して、該取付け板部の左右両側部を側板28として該側板上部と蓋体との連結部に上記薄肉板状ヒンジ40を、これ等両側板間の垂直平板34の上部両側に形成した肩部35と蓋板29との連結部に水平ヒンジ39を、それぞれ設け、又下端部を除く両側板28と垂直平板34との間に切離し線43を穿設して、垂直平板34上部を弾性押圧板44とした
ことを特徴とするワンタッチキャップ。
【請求項２】
上記両肩部35間の垂直平板部分を上方延長して指当て板38とすると共に、該指当て板を含む弾性押圧板前方へ、逃げ代37としての空間を設けた
ことを特徴とする請求項１記載のワンタッチキャップ。
【請求項３】
蓋体29後方部分上面を、蓋体前方部分よりも低い凹陥部36に形成した
ことを特徴とする請求項１又は２記載のワンタッチキャップ。
【請求項４】
蓋体閉蓋時において、蓋体後部から垂設した弾性脚片41下端がキャップ後部に設けた起立壁42後面へ係合すると共に、蓋体前部を垂下させて該前部をキャップ前面へ凹凸の係合手段32により嵌合可能となし、
上記弾性押圧板44の前方押込みによる蓋体前進で上記係合手段32が、又該前方押込みによる開蓋で弾性脚片41が、それぞれ離脱可能に形成した
ことを特徴とする請求項１、２又は３記載のワンタッチキャップ。
【発明の詳細な説明】
【技術分野】
【０００１】
本発明はワンタッチキャップ、やや詳しくは押圧板押込みにより容器本体上面を閉塞している蓋体を容易に開蓋可能としたものである。
【背景技術】
【０００２】
キャップ本体の周壁後部への切込み線穿設により上縁自由端の弾性押圧板を形成しておき、該押圧板の前方押込みによって水平ヒンジと台形薄肉板ヒンジとでキャップ本体に連結されて、キャップ本体上面を閉塞する蓋体が、上記両ヒンジを中心とする回動で開蓋可能としたワンタッチキャップが特許出願されている（特許文献１）。
【特許文献１】特願２００４−２３６９０号
【発明の開示】
【発明が解決しようとする課題】
【０００３】
本発明は上記特許文献発明を改良するもので、弾性押圧板前方押込みによる蓋体の開蓋が容易であると共に、弾性押圧板の前方押込みも容易としたものである。
【課題を解決するための手段】
【０００４】
第１の手段としてキャップ周壁後部で形成した上縁自由端の弾性押圧板の前方押込みで、キャップ上面を閉塞する蓋体が、該蓋体後部を連結する水平ヒンジと薄肉板状ヒンジとを中心に回動することで開蓋するワンタッチキャップににおいて、
上記蓋体29後端部からキャップ周壁の後部に穿設した切欠き17内へ嵌合させる取付け板部27を垂設して、該取付け板部の左右両側部を側板28として該側板上部と蓋体との連結部に上記薄肉板状ヒンジ40を、これ等両側板間の垂直平板34の上部両側に形成した肩部35と蓋板29との連結部に水平ヒンジ39を、それぞれ設け、又下端部を除く両側板28と垂直平板34との間に切離し線43を穿設して、垂直平板34上部を弾性押圧板44とした。
【０００５】
第２の手段として、上記第１の手段を有し、又上記両肩部35間の垂直平板部分を上方延長して指当て板38とすると共に、該指当て板を含む弾性押圧板前方へ、逃げ代37としての空間を設けた。
【０００６】
第３の手段として、上記第１、又は第２の手段を有し、又蓋体29後方部分上面を、蓋体前方部分よりも低い凹陥部36に形成した。
【０００７】
第４の手段として上記第１、第２、又は第３の手段を有すると共に蓋体閉蓋時において、蓋体後部から垂設した弾性脚片41下端がキャップ後部に設けた起立壁42後面へ係合すると共に、蓋体前部を垂下させて該前部をキャップ前面へ凹凸の係合手段32により嵌合可能となし、
上記弾性押圧板44の前方押込みによる蓋体前進で上記係合手段32が、又該前方押込みによる開蓋で弾性脚片41が、それぞれ離脱可能に形成した。
【発明の効果】
【０００８】
請求項１記載のようにすることで、水平ヒンジ39下方の垂直平板部分は弾性押圧板44の一部で形成することとなって蓋体29の前方押圧が容易で、又その水平ヒンジは垂直平板34の上部両側に設けた肩部35に設けるから、その垂直平板上部が形成する弾性押圧板44の前方押圧が容易となる。
【０００９】
請求項２のように両肩部35間の垂直平板部分を上方延長して指当て板38とすることで該指当て板下方に蓋体を連結する水平ヒンジ39が位置することとなり、よってその指掛け板を介しての弾性押圧板前方押込みはレバー機能により容易に行うことができる。
【００１０】
請求項３のようにすることで、弾性押圧板前方押込み時に指が当たらず蓋体後部が邪魔となることがなく、その押込みが容易となる。
【００１１】
請求項４のようにすることで、蓋体29がキャップに対してガタ付くことがない。即ち弾性脚片41を設けない場合は、弾性押圧板押圧の反復によって次第に弾性押圧板が前方へ傾斜することがあり、このように傾斜すると蓋体前端部とキャップ前面との係合不完全となって蓋体閉塞状態を確実に保持させることが困難となることがあるが、弾性脚片を蓋体後部から垂下させてキャップ後部に設けた起立壁42後面へ係合させておくことで、上記弾性押圧板老化による前方傾斜を防止でき、蓋体閉塞状態の保持を確実とできる。
【発明を実施するための最良の形態】
【００１２】
以下図面について説明すると、１は口頸部２を起立する容器体である。
【００１３】
11は上記容器体口頸部外面へ円筒状周壁12下半を嵌合させたキャップ本体で、該キャップ本体は、周壁12の上下方向中間部内面に前部（図２左方）を振出し筒13として、周壁上部よりも高く隆起させた仕切壁14を設けている。振出し筒の天板には複数の振出し孔15を穿設しており、又周壁後部は図５が示すように左右方向巾広の平板状垂直壁16とし、該垂直壁の上部および該上部側方の円筒状周壁部分を切欠き17している。
【００１４】
上記キャップ本体の上部内へは、蓋付き部材21を嵌着させている。該部材は頂板22前部に上記振出し筒13上端部を嵌合させた透孔を有し、その頂板外周をキャップ本体周壁12の上端面上へ載置させて該頂板外周の後部を除く頂板外周の内方部分から嵌合短筒23を垂下させてキャップ本体周壁上部内面へ嵌合させている。又頂板上面の前後方向中間部には、図３が示すようにその前端から後方まで帯状の凹部24を設け、又凹部後端からは下降壁25を垂下し、又その下端から張出し板26を介して既述キャップ本体後部に設けた切欠き17内へ嵌合させて取付け板部27を起立している。
【００１５】
該取付け板部は図５が示すように左右両側部を前外方へ拡開する側板28とし、取付け板部27上部から前方へ蓋体29を突出させている。該蓋体は既述凹部24内へ着脱可能としており、蓋体前部は垂下させて凹部24の前端部内へ嵌合可能としており、該凹部の前端部前面には小凹部30を、かつ蓋板の前端部後面へは凸部31を、それぞれ設けてこれ等凹部と凸部とを係合手段32として嵌合させている。尚蓋体前部下面へは振出し孔閉塞栓33を付設している
【００１６】
上記取付け板部の左右両側部を形成する側板間の板部は垂直平板34としており、該垂直平板上部の左右両側には肩部35を設け、又蓋体後部の左右方向中間部分は凹陥部36とし、更に該凹陥部後部の左右方向中間は逃げ代37とし、該逃げ代の後端部内を通して上記両肩部間の巾狭とした垂直板部上部を指当て板38として起立させている。該逃げ空間は、開蓋時指当て板38へ蓋体後部を当てないための逃がし空間を兼用する。更に上記逃げ代37両側の凹陥部両側の板部分後端を水平ヒンジ39を介して肩部35と連結させている。更に又、それ等両水平ヒンジ左右両側の側板部分には前外方を拡開させた台形状の薄肉板状ヒンジ40を設けている。尚該側板形状は、曲面状や、傾斜状等、薄肉板状ヒンジ40が弾性反転可能であればどのような形状でもよい。
【００１７】
それ等薄肉板状ヒンジ上方の蓋体後方部分からは、図４が示すように弾性脚片41を垂下させて、これ等脚板下端を、凹陥部36後部の左右側方の頂板部分に設けた起立壁42後面へ着脱自在に係合させている。
【００１８】
既述両傾斜板28とこれ等両傾斜板間の垂直平板との間には、それ等両板の下方まで切離し線43を縦設しており、これ等切離し線穿設により両切離し線間の垂直平板部分は弾性押圧板44とされている。
【００１９】
上記実施形態にあっては、キャップをキャップ本体11と蓋付き部材21との２部材で形成したが、振出し筒13を削除して振出し孔15を頂板22前部に穿設し、又仕切り壁14は内向きフランジ状としてその下面へ容器体口頸部の上端面を載置させ、又キャップ本体周壁12上端と蓋付き部材21の頂板外周とを連続させることで、それ等を一部材として成形してもよい。
【００２０】
上記ワンタッチキャップは次のように使用することができる。図１が示す閉塞状態から弾性押圧板44上端が形成する指当て板38を前方へ押込むと、弾性押圧板44が前方へ揺動することで蓋体29が水平ヒンジ39を介して前方へ押され、蓋体前部の係合手段32が外れ、続いて薄肉板状ヒンジ40が弾性反転することで蓋体29が上記両ヒンジを中心として回動することで開蓋する。尚或る程度蓋体前部が上昇した状態で弾性脚片41が起立壁42後面から外れる。閉蓋操作は開蓋した蓋体前部を前方へ押して倒した後、該蓋体前部を押下げ、凹部24内へ嵌合させれば、このとき弾性脚片41下端および蓋体前部は元の位置へ復帰する。
【００２１】
尚上記ワンタッチキャップは適宜合成樹脂材で成形するとよい。
【図面の簡単な説明】
【００２２】
【図１】本発明キャップを閉蓋状態で示す断面図である。
【図２】図１キャップを開蓋状態で示す断面図である。
【図３】図２の開蓋状態キャップの平面図である。
【図４】図１キャップ要部の拡大断面図である。
【図５】図１キャップを後方からみた斜視図である。
【符号の説明】
【００２３】
11  キャップ本体                    21  蓋付き部材
27  取付け板部                      28  側板
29  蓋体                            32  係合手段
38  指当て板                        39  水平ヒンジ
40  薄肉板状ヒンジ                  41  弾性脚片
42  弾性押圧板                                    
【図１】
2006335406.tif 000003
【図２】
2006335406.tif 000004
【図３】
2006335406.tif 000005
【図４】
2006335406.tif 000006
【図５】
2006335406.tif 000007